(57)【要約】【課題】ディスプレイと紐付けられた専用ペンの保持を汎用的に実現することを課題とする。【解決手段】指示装置は、磁性材を有し、ユーザの接触が検知された、且つ、指示装置の動きを示す値が規定値未満である場合に、指示装置の状態を示す状態情報を表示装置に対して送信する。表示装置は、所定箇所に配置された電磁石を有し、状態情報が受信されたときの電磁石に対する通電状況に応じて、電磁石に対する通電を制御する。通電開始によって磁力が発生した電磁石と、所定箇所で静止状態になった指示装置の磁性材との間の引力が働く。通電停止によって磁力が失われた電磁石と、所定箇所から離される指示装置の磁性材との間の引力が働かなくなる。【選択図】図２
2018156330.tif 000002
【特許請求の範囲】
【請求項１】
指示装置と、表示装置とを有する表示システムであって、
前記指示装置は、
磁性材と、
ユーザの接触を検知する接触検知部と、
前記指示装置の動きを検知する動き検知部と、
前記接触検知部から接触が検知されたことを示す接触検知情報が取得されたか否か、及び、前記動き検知部から取得された動きを示す値が規定値未満であるか否かを判定する状態判定部と、
前記状態判定部によって前記接触検知情報が取得された、且つ、動きを示す値が規定値未満であると判定された場合に、前記指示装置の状態を示す状態情報を前記表示装置に対して送信する送信部と、を有し、
前記表示装置は、
所定箇所に配置された電磁石と、
前記電磁石に対する通電状況を判定する状況判定部と、
前記指示装置によって送信された前記状態情報を受信する受信部と、
前記状態情報が受信されたときの前記電磁石に対する通電状況に応じて、該電磁石に対する通電を制御する電磁石制御部と、を有し、
通電開始によって磁力が発生した前記電磁石と、前記所定箇所で静止状態になった前記指示装置の前記磁性材との間に引力が働き、
通電停止によって磁力が失われた前記電磁石と、前記所定箇所から離される前記指示装置の前記磁性材との間の引力が働かなくなる
ことを特徴とする表示システム。
【請求項２】
前記表示装置は、
前記指示装置の近接を検知する近接検知部をさらに有し、
前記近接検知部は、前記所定箇所に配置され、
前記電磁石制御部は、近接したことが検知された場合に、前記電磁石に対する通電を制御することを特徴とする請求項１に記載の表示システム。
【請求項３】
前記電磁石制御部は、前記電磁石に対して通電されていない状況である場合に、該電磁石に対する通電開始を制御することを特徴とする請求項１又は２に記載の表示システム。
【請求項４】
前記電磁石制御部は、前記電磁石に対して通電されている状況である場合に、該電磁石に対する通電停止を制御することを特徴とする請求項１〜３の何れか一つに記載の表示システム。
【請求項５】
前記電磁石制御部は、前記電磁石に対して通電されていない状況において、一定時間以上近接されたことが検知された場合に、該電磁石に対する通電開始を制御することを特徴とする請求項２に記載の表示システム。
【請求項６】
前記所定箇所は、前記表示装置の表示面を囲む枠部に含まれることを特徴とする請求項１〜５の何れか一つに記載の表示システム。
【発明の詳細な説明】
【技術分野】
【０００１】
本発明は、表示システムに関する。
【背景技術】
【０００２】
従来、液晶やプラズマ等のフラットパネルやプロジェクタを用いた４０〜８０インチ程度のサイズの大型のディスプレイに、タッチパネルを搭載した、いわゆる「電子情報ボード」製品が市場に出ている。このような製品では、タッチパネルに対する操作を、ディスプレイと紐付けられた専用ペンによって実現するものがある。
【０００３】
例えば、専用ペンは、ディスプレイの裏面に設置されたトレイに配置・保持される場合がある。また、特許文献１（特開２００３−０５８３１２号公報）では、装置内（ペンハウジング）の磁気素子の磁力を制御することにより、磁気素子が取り付けられた入力ペンの出し入れを実現する技術が開示されている。
【発明の概要】
【発明が解決しようとする課題】
【０００４】
しかしながら、従来技術は、ディスプレイと紐付けられた専用ペンの保持を汎用的に実現することが困難であるという問題がある。具体的には、ディスプレイの裏面に設置されたトレイや、ペンハウジングに専用ペンを保持させる技術は、ディスプレイが壁等に埋め込まれている場合に使用することが困難である。
【０００５】
本発明は、上記に鑑みてなされたものであって、ディスプレイと紐付けられた専用ペンの保持を汎用的に実現することを目的とする。
【課題を解決するための手段】
【０００６】
上述した課題を解決し、目的を達成するため、本発明に係る表示システムは、指示装置と、表示装置とを有する表示システムであって、前記指示装置は、磁性材と、ユーザの接触を検知する接触検知部と、前記指示装置の動きを検知する動き検知部と、前記接触検知部から接触が検知されたことを示す接触検知情報が取得されたか否か、及び、前記動き検知部から取得された動きを示す値が規定値未満であるか否かを判定する状態判定部と、前記状態判定部によって前記接触検知情報が取得された、且つ、動きを示す値が規定値未満であると判定された場合に、前記指示装置の状態を示す状態情報を前記表示装置に対して送信する送信部と、を有し、前記表示装置は、所定箇所に配置された電磁石と、前記電磁石に対する通電状況を判定する状況判定部と、前記指示装置によって送信された前記状態情報を受信する受信部と、前記状態情報が受信されたときの前記電磁石に対する通電状況に応じて、該電磁石に対する通電を制御する電磁石制御部と、を有し、通電開始によって磁力が発生した前記電磁石と、前記所定箇所で静止状態になった前記指示装置の前記磁性材との間に引力が働き、通電停止によって磁力が失われた前記電磁石と、前記所定箇所から離される前記指示装置の前記磁性材との間の引力が働かなくなる。
【発明の効果】
【０００７】
本発明によれば、ディスプレイと紐付けられた専用ペンの保持を汎用的に実現することができるという効果を奏する。
【図面の簡単な説明】
【０００８】
【図１】図１は、実施の形態に係る表示システムのハードウェア構成例を示す図である。
【図２】図２は、実施の形態に係る電子ペン及びディスプレイの機能構成を説明するためのブロック図である。
【図３】図３は、実施の形態に係る電子ペンによる状態情報送信処理の流れの例を示すフローチャートである。
【図４】図４は、実施の形態に係るディスプレイによる通電制御処理の流れの例を示すフローチャートである。
【発明を実施するための形態】
【０００９】
以下に添付図面を参照して、本発明に係る表示システムの実施の形態を説明する。なお、以下の実施の形態により本発明が限定されるものではない。
【００１０】
（実施の形態）
図１を用いて、実施の形態に係る表示システム１のハードウェア構成を説明する。図１は、実施の形態に係る表示システム１のハードウェア構成例を示す図である。
【００１１】
図１に示すように、表示システム１には、電子ペン１００と、ディスプレイ２００とが含まれる。ディスプレイ２００は、ケーブル等で接続されたＰＣ（Personal  Computer）やタブレット端末、デジタルビデオカメラ、デジタルカメラ等から提供される表示画像を表示することができる。また、ディスプレイ２００は、ユーザが生成する描画画像を表示可能な表示装置である。ディスプレイ２００は、「電子情報ボード」と呼ばれることがある。
【００１２】
ディスプレイ２００は、ディスプレイ面２１と、ディスプレイ面２１の枠部であるベゼル２２とを有する。また、ディスプレイ２００は、ベゼル２２の所定箇所（例えば、図１に示す破線部分）の裏側に、電磁石２３と、近接センサ２４とを有する。なお、電磁石２３と、近接センサ２４とは、ベゼル２２の任意の箇所に配置されれば良く、図１に示した箇所に配置することに限られるわけではない。
【００１３】
電子ペン１００は、ディスプレイ２００と紐付けられた専用ペン（指示装置）である。ユーザは、電子ペン１００を使用して、ディスプレイ面２１に対する操作を行なったり、ディスプレイ面２１に描画したりすることができる。電子ペン１００は、可動ペン先１１と、ペン先スイッチ１２と、接触検知センサ１３と、加速度センサ１４と、信号処理回路１５とを有する。また、電子ペン１００は、磁性材（後述する「磁性材Ｍ」）を有する。
【００１４】
ユーザは、電子ペン１００の使用に際して、ベゼル２２の所定箇所（破線部分）に電子ペン１００を固定したり、ベゼル２２の所定箇所に固定された電子ペン１００を外したりする。表示システム１では、以下で説明するように、ユーザによって電子ペン１００を所定箇所に固定するための動作が行なわれることにより、電子ペン１００の磁性材Ｍと、ディスプレイ２００の電磁石２３との間に引力を働かせる。また、表示システム１では、以下で説明するように、ユーザによって所定箇所に固定された電子ペン１００を外すための動作が行なわれることにより、電子ペン１００の磁性材Ｍと、ディスプレイ２００の電磁石２３との間の引力を失わせる。
【００１５】
近接センサ２４は、電子ペン１００の近接を検知する。例えば、ユーザは、電子ペン１００の使用をやめる場合に、ベゼル２２の所定箇所（破線部分）に電子ペン１００を固定させるための動作を行なう。電子ペン１００を固定させるための動作とは、電子ペン１００を所定箇所に近付けて、静止状態を保つことを指す。これにより、近接センサ２４は、電子ペン１００の近接を検知する。なお、近接センサは、「近接検知部」に対応する。
【００１６】
電磁石２３は、通電されることにより磁力を発生する。電磁石２３に対する通電の開始や停止は、以下の条件が満たされた場合に実施される。一つの条件は、近接センサ２４によって電子ペン１００が近接したことが検知された場合である。また、一つの条件は、電子ペン１００から状態情報が受信された場合である。なお、状態情報については後述する。
【００１７】
可動ペン先１１は、物体に接触することによって可動する可動式の部材である。例えば、可動ペン先１１は、一方の端部がディスプレイ面２１に接触すると、電子ペン１００の長手方向に移動し、他方の端部がペン先スイッチ１２に接触する。可動ペン先１１とペン先スイッチ１２との間には、弾性部材が設けられている。可動ペン先１１は、ディスプレイ面２１から離されると、弾性部材による弾性力によって元の位置に戻る。ペン先スイッチ１２は、可動ペン先１１の接触・非接触によってオン・オフするスイッチである。ペン先スイッチ１２のスイッチングに応じたオン信号やオフ信号は、信号処理回路１５に渡される。
【００１８】
接触検知センサ１３は、ユーザが電子ペン１００に接触したことを検知する。例えば、接触検知センサ１３は、ユーザが電子ペン１００に接触したときや、ユーザが電子ペン１００を保持している間に、ユーザの接触が検知されたことを示す接触検知情報を信号処理回路１５に出力する。なお、接触検知センサ１３は、「接触検知部」に対応する。
【００１９】
加速度センサ１４は、電子ペン１００の動き（加速度）を検知する。例えば、加速度センサ１４は、電子ペン１００の加速度を常に検知し、加速度検知情報を信号処理回路１５に出力する。なお、加速度センサ１４は、「動き検知部」に対応する。
【００２０】
信号処理回路１５は、電子ペン１００の状況に応じて、ディスプレイ２００に対する各種信号の送信を制御する。例えば、信号処理回路１５は、ペン先スイッチ１２のスイッチングに応じたオン信号・オフ信号をディスプレイ２００に対して送信する。また、信号処理回路１５は、接触検知センサ１３から接触検知情報が取得されたか否か、及び、加速度センサ１４から取得された加速度検知情報が規定値未満であるか否かを判定する。このとき、信号処理回路１５は、接触検知情報が取得された、且つ、加速度検知情報が規定値未満である場合に、電子ペン１００の状態を示す状態情報をディスプレイ２００に対して送信する。
【００２１】
接触検知情報は、ユーザが電子ペン１００を使用してディスプレイ面２１に対する操作を行なっている状態や、ユーザが電子ペン１００を保持しようとして接触した状態のときに取得され得る。また、加速度検知情報が規定値未満である場合は、電子ペン１００が静止状態又は静止状態に近いことを示している。つまり、接触検知情報が取得され、また、加速度検知情報が規定値未満である場合とは、ユーザが電子ペン１００に接触しているものの、電子ペン１００を動かしていない状態である。本実施の形態において、このような状態は、ユーザが電子ペン１００をベゼル２２の所定箇所（破線部分）に固定しようとした場合や、ベゼル２２の所定箇所に固定された電子ペン１００をユーザが外そうとした場合に起こり得る。
【００２２】
電子ペン１００から状態情報を受信したディスプレイ２００では、電磁石２３に対する通電状況に応じて、電磁石２３に対する通電制御が実施される。例えば、ディスプレイ２００は、電磁石２３に対して通電されていない状況において、近接センサ２４によって電子ペン１００の近接が検知され、電子ペン１００から状態情報が受信された場合に、電磁石２３に対する通電開始を制御する。また、ディスプレイ２００は、電磁石２３に対して通電されている状況において、近接センサ２４によって電子ペン１００の近接が検知され、電子ペン１００から状態情報が受信された場合に、電磁石２３に対する通電停止を制御する。
【００２３】
これらにより、ユーザは、通電開始によって磁力が発生した電磁石２３と、所定箇所で静止状態になった電子ペン１００の磁性材Ｍとの間に引力が働くことで、電子ペン１００を所定箇所に固定することができる。また、ユーザは、通電停止によって磁力が失われた電磁石２３と、所定箇所から離される電子ペン１００の磁性材Ｍとの間の引力が働かなくなることで、所定箇所に固定された電子ペン１００を外すことができる。
【００２４】
次に、図２を用いて、実施の形態に係る電子ペン１００及びディスプレイ２００の機能構成を説明する。図２は、実施の形態に係る電子ペン１００及びディスプレイ２００の機能構成を説明するためのブロック図である。
【００２５】
図２に示すように、電子ペン１００は、接触検知センサ１３と、加速度センサ１４と、状態判定部１５ａと、送信部１６と、磁性材Ｍとを有する。状態判定部１５ａは、上述した信号処理回路１５によって実行される機能の一つである。
【００２６】
接触検知センサ１３は、ユーザの接触を検知する。より具体的には、接触検知センサ１３は、ユーザが電子ペン１００に接触したときや、ユーザが電子ペン１００を保持している間に、ユーザの接触が検知されたことを示す接触検知情報を状態判定部１５ａに出力する。
【００２７】
加速度センサ１４は、電子ペン１００の動き（加速度）を検知する。より具体的には、加速度センサ１４は、電子ペン１００の加速度を常に検知し、加速度検知情報を状態判定部１５ａに出力する。
【００２８】
状態判定部１５ａは、接触検知情報が取得されたか否か、及び、加速度検知情報が規定値未満であるか否かを判定する。より具体的には、状態判定部１５ａは、接触検知センサ１３から接触検知情報が取得されたか否か、及び、加速度センサ１４から取得された加速度検知情報が規定値未満であるか否かを判定する。例えば、規定値は、加速度が静止状態に近いことを示す値である。つまり、接触検知情報が取得され、加速度検知情報が規定値未満である場合は、ユーザが電子ペン１００に接触し、電子ペン１００をほぼ動かしていない状態である。状態判定部１５ａは、接触検知情報が取得され、加速度検知情報が規定値未満であると判定した場合に、ディスプレイ２００に対する状態情報の送信を送信部１６に依頼する。
【００２９】
送信部１６は、状態判定部１５ａによって接触検知情報が取得された、且つ、加速度検知情報が規定値未満であると判定された場合に、電子ペン１００の状態を示す状態情報をディスプレイ２００に対して送信する。より具体的には、送信部１６は、状態判定部１５ａから状態情報の送信依頼を受けて、ディスプレイ２００に対して状態情報を送信する。
【００３０】
これらのほか、電子ペン１００は、ペン先スイッチ１２のスイッチングに応じたオン信号やオフ信号をディスプレイ２００に対して送信するための機能を有する。本実施の形態では、ディスプレイ面２１に対する電子ペン１００を使用した操作や描画は公知の技術によって実現されれば良いため、詳細な説明を省略する。
【００３１】
また、図２に示すように、ディスプレイ２００は、電磁石２３と、近接センサ２４と、受信部２５と、状況判定部２６と、電磁石制御部２７と、座標位置検出部２８と、タッチセンサ制御部２９とを有する。
【００３２】
近接センサ２４は、電子ペン１００の近接を検知する。より具体的には、近接センサ２４は、ユーザによって電子ペン１００が所定箇所に近付けられたことによる、電子ペン１００の近接を検知する。例えば、ユーザは、所定箇所に電子ペン１００を固定させるために、電子ペン１００を所定箇所に近付ける場合がある。このとき、近接センサ２４は、電子ペン１００の近接を検知する。また、近接センサ２４は、所定箇所に電子ペン１００が固定されている間、すなわち磁性材Ｍと電磁石２３との間に引力が働いている間、電子ペン１００の近接を検知する。
【００３３】
受信部２５は、電子ペン１００から各種情報を受信する。より具体的には、受信部２５は、電子ペン１００によって送信された状態情報を受信する。上述したように、状態情報は、電子ペン１００において、ユーザの接触が検知された場合、且つ、電子ペン１００の加速度検知情報が規定値未満である場合に、電子ペン１００によって送信される。従って、受信部２５によって状態情報が受信された場合は、ユーザが所定箇所にある電子ペン１００に接触している状態（電子ペン１００を固定しようとしている、又は、固定された電子ペン１００を外そうとしている）であることがわかる。また、受信部２５は、電子ペン１００によって送信された、ペン先スイッチ１２のスイッチングに応じたオン信号やオフ信号を受信する。
【００３４】
状況判定部２６は、電磁石２３に対する通電状況を判定する。より具体的には、状況判定部２６は、電磁石２３に対して通電が行なわれているか、電磁石２３に対して通電が行なわれていないか、の状況を判定する。状況判定部２６による通電状況の判定結果は、後述するように適宜使用される。
【００３５】
電磁石制御部２７は、電磁石２３に対する通電状況に応じて、電磁石２３に対する通電を制御する。より具体的には、電磁石制御部２７は、受信部２５によって状態情報が受信されたときに、状況判定部２６によって電磁石２３に対する通電が行なわれていないと判定された状況において、近接センサ２４によって電子ペン１００の近接が検知された場合に、電磁石２３に対する通電開始を制御する。
【００３６】
ここで、電磁石制御部２７は、電磁石２３に対する通電が行なわれていない状況である場合に、近接センサ２４によって一定時間（例えば、３秒等）以上近接されたことが検知されたか否かを判定しても良い。例えば、電磁石制御部２７は、近接センサ２４によって一定時間以上近接されたことが検知された場合に、電磁石２３に対する通電開始を制御する。つまり、ユーザが電子ペン１００を所定箇所に固定するために、所定箇所付近で一定時間以上静止状態が保たれた場合に、電磁石２３に対する通電開始の制御が実施される。これらにより、通電開始によって磁力が発生した電磁石２３と、所定箇所で静止状態になった電子ペン１００の磁性材Ｍとの間に引力が働き、電子ペン１００が所定箇所で固定されることになる。
【００３７】
また、電磁石制御部２７は、受信部２５によって状態情報が受信されたときに、状況判定部２６によって電磁石２３に対する通電が行なわれていると判定された状況において、近接センサ２４によって電子ペン１００の近接が検知された場合に、電磁石２３に対する通電停止を制御する。つまり、ユーザが所定箇所に固定された電子ペン１００を外そうとして、電子ペン１００に触れた場合に、電磁石２３に対する通電停止の制御が実施される。これらにより、通電停止によって磁力が失われた電磁石２３と、所定箇所から離される電子ペン１００の磁性材Ｍとの間の引力が働かなくなり、電子ペン１００が所定箇所から外されることになる。
【００３８】
座標位置検出部２８は、ディスプレイ面２１における電子ペン１００による指示位置（座標位置）を検出する。タッチセンサ制御部２９は、座標位置検出部２８によって検出された座標位置に基づいて、タッチセンサであるディスプレイ面２１に対する操作や描画を制御する。タッチセンサ制御部２９は、受信部２５によって受信された、ペン先スイッチ１２のスイッチングに応じたオン信号やオフ信号をもとに、ディスプレイ面２１に対する制御を行なう。例えば、タッチセンサ制御部２９は、オン信号が受信されている間、ディスプレイ面２１に対する制御を行なう。上述したように、座標位置検出部２８やタッチセンサ制御部２９による処理は、公知の技術によって実現することができる。
【００３９】
次に、図３を用いて、実施の形態に係る電子ペン１００による状態情報送信処理の流れを説明する。図３は、実施の形態に係る電子ペン１００による状態情報送信処理の流れの例を示すフローチャートである。
【００４０】
図３に示すように、電子ペン１００は、接触検知センサ１３からの接触検知情報が取得されたか否かを判定する（ステップＳ１０１）。このとき、電子ペン１００は、接触検知情報が取得された場合に（ステップＳ１０１：Ｙｅｓ）、ステップＳ１０２の処理を実行する。一方、電子ペン１００は、接触検知情報が取得されない場合に（ステップＳ１０１：Ｎｏ）、再度ステップＳ１０１の処理を実行する。
【００４１】
電子ペン１００は、加速度センサ１４から取得された加速度検知情報が規定値未満であるか否かを判定する（ステップＳ１０２）。このとき、電子ペン１００は、加速度検知情報が規定値未満である場合に（ステップＳ１０２：Ｙｅｓ）、状態情報をディスプレイ２００に対して送信する（ステップＳ１０３）。一方、電子ペン１００は、加速度検知情報が規定値以上である場合に（ステップＳ１０２：Ｎｏ）、再度ステップＳ１０１の処理を実行する。
【００４２】
次に、図４を用いて、実施の形態に係るディスプレイ２００による通電制御処理の流れを説明する。図４は、実施の形態に係るディスプレイ２００による通電制御処理の流れの例を示すフローチャートである。
【００４３】
図４に示すように、ディスプレイ２００は、近接センサ２４にて電子ペン１００の近接を検知する（ステップＳ２０１）。そして、ディスプレイ２００は、近接センサ２４によって電子ペン１００の近接が検知された場合に（ステップＳ２０２：Ｙｅｓ）、電子ペン１００から状態情報を受信したか否かを判定する（ステップＳ２０３）。ディスプレイ２００は、近接センサ２４によって電子ペン１００の近接が検知されてから、規定時間内に状態情報が受信されたか否かを判定すれば良い。一方、ディスプレイ２００は、近接センサ２４によって電子ペン１００の近接が検知されていない場合に（ステップＳ２０２：Ｎｏ）、再度ステップＳ１０１の処理を実行する。
【００４４】
ディスプレイ２００は、状態情報が受信された場合に（ステップＳ２０３：Ｙｅｓ）、電磁石２３に対して通電されているか否かを判定する（ステップＳ２０４）。一方、ディスプレイ２００は、状態情報が受信されない場合に（ステップＳ２０３：Ｎｏ）、再度ステップＳ２０１の処理を実行する。このとき、ディスプレイ２００は、電磁石２３に対して通電されている状況である場合に（ステップＳ２０４：Ｙｅｓ）、電磁石２３に対する通電停止を制御する（ステップＳ２０５）。
【００４５】
また、ディスプレイ２００は、電磁石２３に対して通電されていない状況である場合に（ステップＳ２０４：Ｎｏ）、近接センサ２４による検知時間を計測し（ステップＳ２０６）、一定時間以上近接が検知されたか否かを判定する（ステップＳ２０７）。このとき、ディスプレイ２００は、一定時間以上近接が検知された場合に（ステップＳ２０７：Ｙｅｓ）、電磁石２３に対する通電開始を制御する（ステップＳ２０８）。一方、ディスプレイ２００は、一定時間以上近接が検知されない場合に（ステップＳ２０７：Ｎｏ）、再度ステップＳ２０１の処理を実行する。
【００４６】
上述したように、電子ペン１００は、ユーザの接触が検知され、電子ペン１００の加速度が規定値未満である場合に、電子ペン１００の状態を示す状態情報をディスプレイ２００に対して送信する。ディスプレイ２００は、電磁石２３に対して通電されていない状況において、状態情報が受信され、電子ペン１００の一定時間以上の近接が検知された場合に、電磁石２３に対する通電開始を制御する。また、ディスプレイ２００は、電磁石２３に対して通電されている状況において、状態情報が受信され、電子ペン１００の近接が検知された場合に、電磁石２３に対する通電停止を制御する。これらの結果、表示システム１は、ディスプレイ２００と紐付けられた専用ペン（電子ペン１００）の保持を汎用的に実現することができる。また、表示システム１は、ディスプレイ２００が壁面等に埋め込まれる場合であっても、電子ペン１００のためのハウジングを要しないため、デザイン性を損なうことなく、簡易に電子ペン１００をディスプレイ２００に固定することができる。
【００４７】
また、上記文書中や図面中等で示した処理手順、制御手順、具体的名称、各種のデータやパラメータ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【符号の説明】
【００４８】
１  表示システム
１１  可動ペン先
１２  ペン先スイッチ
１３  接触検知センサ
１４  加速度センサ
１５  信号処理回路
１５ａ  状態判定部
１６  送信部
２１  ディスプレイ面
２２  ベゼル
２３  電磁石
２４  近接センサ
２５  受信部
２６  状況判定部
２７  電磁石制御部
２８  座標位置検出部
２９  タッチセンサ制御部
１００  電子ペン
２００  ディスプレイ
【先行技術文献】
【特許文献】
【００４９】
【特許文献１】特開２００３−０５８３１２号公報
【図１】
2018156330.tif 000003
【図２】
2018156330.tif 000004
【図３】
2018156330.tif 000005
【図４】
2018156330.tif 000006